(57)【要約】【課題】  酸化還元塩が有する電子による還元性を有効に利用した還元水素水、及び、その酸化還元塩と、体内でイオン化して吸収され易いＣａである風化貝化石を原料とするＣａを配合し、骨格形成や血管内壁へのＣａ沈着の防止などの効果を有する健康補助食品を提供する。【解決手段】  海水生成塩、ヒマラヤ岩塩の少なくとも一つの酸化還元塩と、風化貝化石を配合していることを特徴とする健康補助食品であって、その風化貝化石が、貝類化石に含まれるＣａ成分がイオン化しない温度で、貝類化石を粉末加工して形成した風化カルシウムであることを特徴とする健康補助食品。【選択図】  なし【特許請求の範囲】
【請求項１】
水に浸漬した酸化還元電位が−２００〜−５００ｍＶを示すヒマラヤ岩塩からなる酸化還元塩が前記水との接触状態を保つ間、前記水を酸化還元して生成する水素を前記水に溶存させて形成していることを特徴とする酸化還元塩を浸漬させた還元水素水。
【請求項２】
海水から作られた自然塩を８００℃以上の高温で長時間加熱して形成した酸化還元電位が−２００〜−５００ｍＶの海水生成塩からなる酸化還元塩が水と接触、酸化還元反応して生成する水素が、前記水に溶存していることを特徴とする酸化還元塩を含む還元水素水。
【請求項３】
前記酸化還元塩と水の接触時から２４時間経過後の前記水に溶存している水素量（溶存水素量）が、前記接触直後の溶存水素量の８６％以上であることを特徴とする請求項１記載の酸化還元塩を含む還元水素水。
【請求項４】
酸化還元電位が−２００〜−５００ｍＶを示す海水生成塩、酸化還元電位が−２００〜−５００ｍＶを示すヒマラヤ岩塩の少なくとも一つの酸化還元塩と風化貝化石の混合物が水と接触、酸化還元反応して生成する水素が、前記水に溶存して形成された還元水素水であって、
前記風化貝化石が、貝類化石に含まれるＣａ成分のイオン化しない温度で、前記貝類化石を粉末加工して形成した風化カルシウムであることを特徴とする前記酸化還元塩と風化貝化石の混合物を含む還元水素水。
【請求項５】
前記海水生成塩、前記ヒマラヤ岩塩の少なくとも一つの酸化還元塩と、風化貝化石を配合していることを特徴とする健康補助食品であって、
前記風化貝化石が、貝類化石に含まれるＣａ成分がイオン化しない温度で、前記貝類化石を粉末加工して形成した風化カルシウムであることを特徴とする健康補助食品。
【請求項６】
前記酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする請求項１〜４のいずれかに記載の還元水素水。
【請求項７】
前記酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする請求項５に記載の健康補助食品。
【発明の詳細な説明】
【技術分野】
【０００１】
本発明は、水と反応して水素分子を生成する還元性の強い塩を用いた健康補助食品に関するもので、その還元性の強い塩を水に接触させて生成した還元水素水と、この還元性の強い塩（以下、酸化還元塩と称す）、イオン化傾向の高い風化貝化石カルシウムを配合することで、体内で発生して細胞破壊、老化や疾病の元凶となる活性酸素（フリーラジカル）を効果的に捕促し、老化や疾病を防ぐことができる健康補助食品に関する。
【背景技術】
【０００２】
近年、健康の決め手は体内で生成される活性酸素を如何に素早く除去するかに掛かっていると言われている。この活性酸素は、ガンを始めとして細胞の変異、病気老化の原因の９０％に関わっていると言われ、その正体は酸素が全身の細胞に運ばれる過程で変化する物質で酸化力の強い悪玉活性酸素「ヒドロキシルラジカル」である。この悪玉活性酸素「ヒドロキシラジカル」が、細胞や遺伝子ＤＮＡにダメージを与え、ガンや病気を引き起こす原因となる。
【０００３】
そこで、水又は電解質を含む水を電気分解して得られる陰極水の電解還元水の利用（例えば、特許文献１など参照）、又は水と水素を混合後に加圧して水素を水に溶解させた溶液の利用（例えば、特許文献２など参照）により、その悪玉活性酸素「ヒドロキシルラジカル」の除去が提案されている。
しかしながら、電気分解に伴う陽極水の処理問題や、水素の揮発しやすさの点から生じる水素濃度の経時的な減少問題などが生じている。
【０００４】
さらに、現代人の体調の不調は、「生体内の還元力不足」と「磁気の乱れ」に起因すると考えられている。なぜなら人体は生きた磁気体で、磁気とは「気」のことであり、「気」の医学とも言われ、不調はその「気」が低下した状態が表面に現れているものと考えられる。
そこで、その「磁気の乱れ」、即ち磁気異常の調整は、体内においてアルカリ性のミネラル物質であるカルシウム（Ｃａ）、マグネシウム（Ｍｇ）、カリウム（Ｋ）、ナトリウム（Ｎａ）の４種類のミネラル成分を必要量、効率的に摂取することが最も効果的である。
【０００５】
特にカルシウム（Ｃａ）は厚労省の発表では、その１日に必要とするカルシウム量は６００ｍｇであるが、日本人が摂取している量はその７０％以下の４００ｍｇ程度であると発表している。また、その吸収率は成人で３０〜４０％、老人では吸収率が２０％以下に低下している。
従ってカルシウム不足が考えられ、その不足分を補うためのカルシウム摂取には、一般に市販されているカルシウム剤によって行われている。
【０００６】
このカルシウム剤は、産業廃棄物と呼んでも良い貝殻、卵の殻、鷄などの骨を、１０００℃という高温で焼成、粉末化した後に、吸収しやすくするために水槽に粉末を入れた状態で電荷をかけてイオン化したもので、小腸で吸収され血液に入れると即座に血液のカルシウム濃度を急上昇させ、その後は急激に血中のカルシウム濃度は急降下し、体内のカルシウムバランスを壊してしまう。
【０００７】
さらに、このカルシウム剤のカルシウムは体内に入る前にすでにイオン化されているのでプラスの電荷を持ち、電気的にかなり活性化した状態で体内に入るために、既にストレス等でマイナスに傾いている血管、神経細胞、じん帯に沈着し、血栓や動脈硬化、高血圧を生起し、さらに神経細胞に沈着することで神経傷害をも起こしてしまう。
他方、血液中のカルシウム濃度が高くなるほど腎臓は、血中のカルシウムを減らそうとして急激な排泄を始め、逆にカルシウム不足が起きてカルシウムダウン症状を引き起こす恐れを有している。
【先行技術文献】
【特許文献】
【０００８】
【特許文献１】特開平９−７７６７２号公報
【特許文献２】特開２０１０−０６３６２９号公報
【発明の概要】
【発明が解決しようとする課題】
【０００９】
このような状況に鑑み本発明は、酸化還元塩が有する電子による還元性を有効に利用した還元水素水、及び、その酸化還元塩と、体内でイオン化して吸収され易いカルシウムである風化貝化石を原料とするカルシウムを配合し、骨格形成や血管内壁へのカルシウム沈着の防止などの効果を有する健康補助食品を提供する。
【課題を解決するための手段】
【００１０】
本発明の第１の発明は、水に浸漬した酸化還元電位が−２００〜−５００ｍＶを示すヒマラヤ岩塩からなる酸化還元塩が前記水との接触状態を保つ間、前記水を酸化還元して生成する水素を前記水に溶存させて形成していることを特徴とする酸化還元塩を浸漬させた還元水素水である。
【００１１】
本発明の第２の発明は、海水から作られた自然塩を８００℃以上の高温で長時間加熱して形成した酸化還元電位が−２００〜−５００ｍＶの海水生成塩からなる酸化還元塩が水と接触、酸化還元反応して生成する水素が、前記水に溶存していることを特徴とする酸化還元塩を含む還元水素水である。
【００１２】
本発明の第３の発明は、第１の発明における酸化還元塩と水の接触時から２４時間経過後の前記水に溶存している水素量（溶存水素量）が、前記接触直後の溶存水素量の８６％以上であることを特徴とする酸化還元塩を含む還元水素水である。
【００１３】
本発明の第４の発明は、酸化還元電位が−２００〜−５００ｍＶを示す海水生成塩、酸化還元電位が−２００〜−５００ｍＶを示すヒマラヤ岩塩の少なくとも一つの酸化還元塩と風化貝化石の混合物が水と接触、酸化還元反応して生成する水素が、前記水に溶存して形成された還元水素水であって、その風化貝化石が、貝類化石に含まれるＣａ成分のイオン化しない温度で貝類化石を粉末加工して形成した風化カルシウムであることを特徴とする酸化還元塩と風化貝化石の混合物を含む還元水素水。
【００１４】
本発明の第５の発明は海水生成塩、ヒマラヤ岩塩の少なくとも一つの酸化還元塩と、風化貝化石を配合していることを特徴とする健康補助食品であって、その風化貝化石が、貝類化石に含まれるＣａ成分がイオン化しない温度で、貝類化石を粉末加工して形成した風化カルシウムであることを特徴とする健康補助食品である。
【００１５】
本発明の第６の発明は、第１から第４の発明における酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする還元水素水である。
【００１６】
本発明の第７の発明は、第５の発明における酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする健康補助食品である。
【発明の効果】
【００１７】
本発明に係る酸化還元塩を用いて生成した還元水素水は、溶存水素量の経時変化が小さく、従来の電解水素水に比して長時間にわたり水素を溶存させ、水素による還元作用を維持することが可能であった。さらに、イオン化していないカルシウム（Ｃａ）、例えば風化貝化石を含む還元水素水は、さらに長時間にわたり水素を溶存させ、その効果を持続していた。
【００１８】
酸化還元塩とイオン化していないカルシウム（Ｃａ成分：例えば、風化貝化石）を配合した本発明に係る健康補助食品は、市販のカルシウム剤と比較して、摂取開始時から１２時間後も血中カルシウム値の変動が抑制された安定的な挙動を示し、体内のカルシウムバランスを崩すことなく、容易にカルシウム（Ｃａ）摂取を可能とした。
【発明を実施するための形態】
【００１９】
［酸化還元塩］
本発明で用いる酸化還元塩は、海水から作られた自然塩を８００℃以上の高温による長時間加熱して形成した海水酸化還元塩、又は堆積していた岩塩がヒマラヤ山脈が隆起した際、マグマ溶岩の高温、高熱で焼かれることにより、塩に含まれている有機化合物や微生物また有害物質は消去され無機化し、更にニガリ成分の「塩化マグネシウム」、「硫酸マグネシウム」は焼却され、酸素や窒素は気化し、焼かれたことで電子を持った酸化還元塩を生成して、その酸化還元塩が有する電子のやり取りによって酸化を防止し還元する働きを有するものである。
【００２０】
本発明で用いる酸化還元塩の具体例は、天然産の紅塩（ヒマラヤ産天然岩塩、チベット産天然岩塩）である。
紅塩は、ヒマラヤ山脈が海底から隆起するとき、高温のマグマで焼けながら数億年かけて生成されたものであるとされている。
【００２１】
即ち、紅塩は、マグマの高温（１１００℃〜１２００℃程度）に長時間曝されることで、天然岩塩中に含まれていた有機化合物、酸素や窒素などの非金属化合物の多くが気化し、無機質の化合物の塩になったものといわれている。また、塩の中に含まれている微量元素、即ち、カルシウム、マグネシウム、ナトリウム、カリウム、鉄、銅、亜鉛、リン、マンガン、硫黄、フッ素、ケイ素、塩素、ストロンチウム、バリウム、コバルトなどミネラル成分は、長い年月、高温・高圧力化に曝されることで、還元作用をもたらす電子を保有したといわれている。
【００２２】
また、本発明で用いる海水生成塩は、上記ミネラル成分を含む海水から製塩した塩を数回（例えば５回以上）釜の中で１２００〜１３００℃の高温で焼く「高温熱焼法」により製造したものである。
【００２３】
上記酸化還元塩である紅塩（ヒマラヤ岩塩）は、酸化還元電位測定器（ＯＲＰメーター）で測定すると、マイナス値を示し、具体的に−２００〜−５００ｍＶの値を示し、強い還元力を保持しているものであることがわかる。
海水生成塩では、−１５０〜−５００ｍＶの値を示している。
【００２４】
ところで、「酸化」とは人の健康状態から言えば、「老化する」、「病気がち」、「疲れる」、「シミ、シワが増えること」である。また「還元」とは人の健康状態から言えば、「元気である」、「健康で若返ること」、「美しさがパワーアップすること」で、つまりこの「還元」の働きを有するのが還元力を持った酸化還元塩である。
さらに、化学的に捉えると、「酸化」とは、ある物質が酸素と化合する反応であり、水素又は電子を奪われる反応でもある。一方、「還元」とは、その逆で酸素が切り離される反応であり、水素又は電子を得る反応である。この「酸化」と「還元」の反応はわずか一個の電子のやり取りをする化学反応であり、この「酸化」と「還元」は同時に起きる反応でもある。
【００２５】
即ち、「還元力」とは電子の働きにより酸化物を還元するもので、その時酸素を切り離し、電子により水素を与える力が働くもので、以下に、その状態を本発明で用いる還元力を有する酸化還元塩で示す。
水道水には滅菌の為に使用した塩素ガスが水に溶け、塩酸（ＨＣｌ）と次亜塩素酸（ＨＣｌＯ）という酸化力の強い塩素化合物に変える。この強い酸化力が雑菌を酸化させて殺菌している。
そこで、この塩素化合物を無害化するには、塩素化合物を切り離し、分解することで、それには本発明の酸化還元塩が有する電子により還元すると、水と塩素イオンに分解され、無害となる。
【００２６】
その還元力を知るために、３つのビーカー、Ａ、Ｂ、Ｃを準備し、そのビーカーに塩素で滅菌した水道水を約８分目まで入れ、試薬液（０−トリジン溶液）を少量入れると黄色に変色する。これは水道水に塩素化合物が入っていることを示すものである。
次にビーカーＡに、本発明で使用する酸化還元塩を約１ｇ〜２ｇ投入すると黄色に変色している色が一瞬にして透明になる。
これが、有害な塩素化合物を無害に還元（分解）する化学反応である。
【００２７】
そこで、このビーカーの水（還元水）の酸化還元電位をＯＲＰ測定器で測定すると、−３５０ｍＶ以下の値を示し、還元していることがわかる。
【００２８】
次にビーカーＢに、一般に使用されている精製塩を５ｇ入れても黄色のままで同じくＯＲＰ測定器による測定値は、＋６５０ｍＶ以上の値を示す。これは、還元が行われていないことを示している。
【００２９】
そこで、さらにビーカーＣにビーカーＢと同様に市販の精製塩を５ｇ入れ、撹拌するが色はビーカーＢと同様にそのまま変わらない。その時の酸化還元電位は＋６５０ｍＶ以上の値を示していた。
次に、そのビーカーＣに酸化還元塩を１ｇ〜２ｇ入れ、撹拌すると一瞬にして透明になる。これは塩素化合物を消去した実証、その時の酸化還元電位は、−３５０ｍＶ以下となり、還元が行われていることを示している。
【００３０】
このビーカーＣの中での反応の違いは、使用した塩の成分及びその成分の状態の違いによるものと考えられる。即ち、本発明で使用する酸化還元塩では、長い時間、高温に曝されたことにより、酸化還元塩に含まれているミネラル成分が電子を保有し、その電子の働きによるものである。
【００３１】
この電子を出す物質とは酸化還元塩に含まれているミネラル成分である。
つまり金属元素「鉄、銅、亜鉛、カリウム、カルシウム、ナトリウム、マグネシウム、アルミニウム、マンガン、フッ素、ケイ素、ストロンチウム、ルビジウム等」が電子を出している。
【００３２】
［還元水素水］
ところで、元素を構成するのは原子である。
その原子は３つの要素で構成され、中心に陽子と中性子で構成される原子核があり、この原子核の周りを電子が回り電子殻を構成している。
その陽子は、＋の電荷を帯び、電子は−の電荷を帯び、中性子は非電荷であり、その原子の中で水素原子は、陽子１個の原子核と電子１個で構成され、電子を放して＋１価にもなり、電子を捕えて−１価にもなる両方の振る舞いをもつ特性がある。またイオン化することもでき、電子を簡単にやり取りできる特性を持っている。
即ち、水素は電気化学的特性である電子を供給する還元力を持っている。そこで、本発明で示した酸化還元塩が水と反応して水素を発生し、水素イオン化して水に溶けて還元水素水が生成される。
【００３３】
即ち、本発明では、上記特性を持つ水素が溶存した水素水（以後、還元水素水と称す）を、上記酸化還元塩を用いて生成するものである。
一般に供されている水道水は、酸化力があるので酸化還元電位はプラスになる。水素は還元力があるのでマイナスになる。電子のやり取りで電子を失うと酸化され、電子をもらうと還元される。
酸素は電子を奪うもので酸化を行い、水素は電子を与えるので還元を行うものである。したがって、強い還元力を持った上記酸化還元塩が、その還元力により水と反応し、電子のやり取りにより水素を発生することを見出し、その発生した水素がイオン化して水に溶けて還元水素水を作り出すものである。
【００３４】
この酸化還元塩を水に投入することで発生する水素が、水に溶存した酸化還元水素水においては、含まれる水素は電子を放して＋１価にもなり、電子を捕えて−１価にもなる性質を持ち、イオン化へも働くこともでき、また電気陰性度も示す。
つまり、電子を簡単にやり取りできる能力をもっている還元水素水である点、電子を供給する還元水素水である点、そして還元水素水が抗酸化物質を持っている点から、癌をはじめとして細胞の変異、病気老化の原因の９０％に係わる活性酸素、その活性酸素を生み出す元凶である酸素が全身の細胞に運ばれる過程で変化する物質で、且つ酸化力の強い悪玉活性酸素ヒドロキシルラジカル、これが細胞や遺伝子ＤＮＡにダメージを与え癌や病気を引き起こす原因となる。
即ち、還元水素水はこの悪玉活性酸素を消去する効果、所謂抗酸化性を有する抗酸化物質である。
【００３５】
［易吸収Ｃａ健康補助食品］
Ｃａ吸収のデメリットを排除してＣａを摂取するには、イオン化していない状態で体内に摂取し、体内で容易にイオン化するような状態でＣａを摂取するのが望ましいとの知見を得て、本発明では風化貝化石から作られるカルシウム（Ｃａ）と、電子を持ち水素を発生させる酸化還元塩とを混合して用いることで、上記知見を具現化したものである。
【００３６】
先ず、Ｃａ源となる風化貝化石は、数千年前（例えば２０００万年前）のホタテ貝、ニシキ貝などのカキ殻が化石化したもので、その使用に際しては、この風化貝化石をイオン化させない温度（２８０℃以下）で滅菌処理、粉末加工したものである。
そのＣａは、水溶性で、体内においてイオン化するＣａである。
即ち、この風化貝化石をＣａ源とするＣａは、イオン化されていない状態で体内に摂取され、腸において吸収、血液に運びこまれた時、イオン化していないので血管やじん帯に沈着する事がなく、骨の隅々まで運ばれることになり、その場所で、酸化還元塩の電子を受け取ることでイオン化し、堆積しているものである。
【実施例】
【００３７】
以下、実施例を用いて本発明を詳述する。
【実施例１】
【００３８】
水素を測定するポータブル溶存水素計を用い、ビーカーＡ１、Ａ２に水道水を適量入れて、その水道水の溶存水素量を測定した。両者ともに、ゼロ（０）を示した。
次に、ビーカーＡ１に酸化還元塩として、塊状のヒマラヤ紅塩を約５〜７ｇに投入し、溶存水素量を測定した。投入直後に、６００ｐｐｂ（０．６ｐｐｍ）の値を示し、水素分子Ｈ２が水の中に溶存した。
さらに、溶存水素量の経時変化を測定したところ、溶存水素量は若干低下するが２４時間後で、５１８ｐｐｂの値を得た。
【実施例２】
【００３９】
水素を測定するポータブル溶存水素計を用い、ビーカーＢ１、Ｂ２に水道水を適量入れて、その水道水の溶存水素量を測定した。両者ともに、ゼロ（０）を示した。
次に、ビーカーＢ１に酸化還元塩として、塊状のヒマラヤ紅塩を約４ｇと、風化貝化石の粉末７ｇを投入し、溶存水素量を測定した。投入直後に、７１０ｐｐｂ（０．７１ｐｐｍ）の値を示し、水素分子Ｈ２が水の中に溶存した。
さらに、溶存水素量の経時変化を測定したところ、溶存水素量は若干低下するが２４時間後で、６３８ｐｐｂの値を得た。
【実施例３】
【００４０】
ビーカーＣ１、Ｃ２を用意して、投入する酸化還元塩を８００℃の高温に４８時間加熱して生成した海水生成塩を用いた以外は、実施例１と同様にして、溶存水素量を測定した。投入直後に、５６５ｐｐｂ（０．５６５ｐｐｍ）の値を示し、水素分子Ｈ２が水の中に溶存した。
さらに、溶存水素量の経時変化を測定したところ、溶存水素量は若干低下するが２４時間後で、４８８ｐｐｂの値を得た。
【００４１】
（比較例１）
次に、ビーカーＤに市販の精製塩１０ｇを投入し、実施例１同様に溶存水素量を測定したが、溶存水素量は投入直後から検出限度以下で変化しなかった。
【００４２】
（従来例）
市販の電解水素水整水器を用いて電解水素水を生成して、その溶存水素量を測定した。生成当初は７１０ｐｐｂの値を示し、生成後２４時間後では検出限度以下であった。
【００４３】
本発明に係る酸化還元塩を含む還元水素水（実施例１、２）、及び酸化還元塩と風化貝化石を含む還元水素水（実施例３）は、従来の電解水素水に比べて長時間にわたり水素を溶存させていることが判る。
【実施例４】
【００４４】
酸化還元塩（塊状のヒマラヤ紅塩）を４ｇと風化貝化石粉末７ｇを、食後に服用して成人の血中カルシウム値の経時変化を測定した。血中カルシウム値の測定は、富士フイルムメディカル株式会社製ドライケムで行った。
なお、以下の実施例は成人を対象に行った。
その結果を、表１に示す。
【実施例５】
【００４５】
酸化還元塩（塊状のヒマラヤ紅塩）を４ｇと風化貝化石粉末７ｇを、食事せずに服用して血中カルシウム値の経時変化を実施例４と同様の測定法で測定した。
その結果を表１に示す。
【００４６】
（比較例２）
市販のカルシウム剤を食後に２０錠服用して血中カルシウム値を経時変化を測定した。
その結果を表１に合わせて示す。
【００４７】
（比較例３）
食事せずに市販のカルシウム剤を２０錠服用して血中カルシウム値の経時変化を測定した。
その結果を表１に合わせて示す。
【００４８】
【表１】
2015093211.tif 000002
【００４９】
比較例２、３の市販のカルシウム剤を服用した場合には、１時間目に急上昇するが、その後は急低下して、しかも１２時間後には服用前の数値よりも下回っている事が伺える。これは腎臓が急激に上昇したカルシウムを減らそうとして排泄を始めた現れと考えられる。
【００５０】
この表１からも明らかなように本願実施例４、５においては市販のカルシウム剤（比較例２、３）と比較して、摂取開始時から１２時間後も血中カルシウム値の変動を抑制した安定的な挙動を示していることがわかる。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
酸化還元電位が−２００〜−５００ｍＶを示す海水生成塩、酸化還元電位が−２００〜−５００ｍＶを示すヒマラヤ岩塩の少なくとも一つの酸化還元塩と風化貝化石の混合物が水と接触、酸化還元反応して生成する水素が、前記水に溶存して形成された還元水素水であって、
前記風化貝化石が、貝類化石に含まれるＣａ成分のイオン化しない温度で、前記貝類化石を粉末加工して形成した風化カルシウムであることを特徴とする前記酸化還元塩と風化貝化石の混合物を含む還元水素水。
【請求項２】
酸化還元電位が−２００〜−５００ｍＶを示す海水生成塩、酸化還元電位が−２００〜−５００ｍＶを示すヒマラヤ岩塩の少なくとも一つの酸化還元塩と、風化貝化石を配合していることを特徴とする健康補助食品であって、
前記風化貝化石が、貝類化石に含まれるＣａ成分がイオン化しない温度で、前記貝類化石を粉末加工して形成した風化カルシウムであることを特徴とする健康補助食品。
【請求項３】
前記酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする請求項１に記載の還元水素水。
【請求項４】
前記酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする請求項２に記載の健康補助食品。
【手続補正２】
【補正対象書類名】明細書
【補正対象項目名】全文
【補正方法】変更
【補正の内容】
【発明の詳細な説明】
【技術分野】
【０００１】
本発明は、水と反応して水素分子を生成する還元性の強い塩を用いた健康補助食品に関するもので、その還元性の強い塩を水に接触させて生成した還元水素水と、この還元性の強い塩（以下、酸化還元塩と称す）、イオン化傾向の高い風化貝化石カルシウムを配合することで、体内で発生して細胞破壊、老化や疾病の元凶となる活性酸素（フリーラジカル）を効果的に捕促し、老化や疾病を防ぐことができる健康補助食品に関する。
【背景技術】
【０００２】
近年、健康の決め手は体内で生成される活性酸素を如何に素早く除去するかに掛かっていると言われている。この活性酸素は、ガンを始めとして細胞の変異、病気老化の原因の９０％に関わっていると言われ、その正体は酸素が全身の細胞に運ばれる過程で変化する物質で酸化力の強い悪玉活性酸素「ヒドロキシルラジカル」である。この悪玉活性酸素「ヒドロキシラジカル」が、細胞や遺伝子ＤＮＡにダメージを与え、ガンや病気を引き起こす原因となる。
【０００３】
そこで、水又は電解質を含む水を電気分解して得られる陰極水の電解還元水の利用（例えば、特許文献１など参照）、又は水と水素を混合後に加圧して水素を水に溶解させた溶液の利用（例えば、特許文献２など参照）により、その悪玉活性酸素「ヒドロキシルラジカル」の除去が提案されている。
しかしながら、電気分解に伴う陽極水の処理問題や、水素の揮発しやすさの点から生じる水素濃度の経時的な減少問題などが生じている。
【０００４】
さらに、現代人の体調の不調は、「生体内の還元力不足」と「磁気の乱れ」に起因すると考えられている。なぜなら人体は生きた磁気体で、磁気とは「気」のことであり、「気」の医学とも言われ、不調はその「気」が低下した状態が表面に現れているものと考えられる。
そこで、その「磁気の乱れ」、即ち磁気異常の調整は、体内においてアルカリ性のミネラル物質であるカルシウム（Ｃａ）、マグネシウム（Ｍｇ）、カリウム（Ｋ）、ナトリウム（Ｎａ）の４種類のミネラル成分を必要量、効率的に摂取することが最も効果的である。
【０００５】
特にカルシウム（Ｃａ）は厚労省の発表では、その１日に必要とするカルシウム量は６００ｍｇであるが、日本人が摂取している量はその７０％以下の４００ｍｇ程度であると発表している。また、その吸収率は成人で３０〜４０％、老人では吸収率が２０％以下に低下している。
従ってカルシウム不足が考えられ、その不足分を補うためのカルシウム摂取には、一般に市販されているカルシウム剤によって行われている。
【０００６】
このカルシウム剤は、産業廃棄物と呼んでも良い貝殻、卵の殻、鷄などの骨を、１０００℃という高温で焼成、粉末化した後に、吸収しやすくするために水槽に粉末を入れた状態で電荷をかけてイオン化したもので、小腸で吸収され血液に入れると即座に血液のカルシウム濃度を急上昇させ、その後は急激に血中のカルシウム濃度は急降下し、体内のカルシウムバランスを壊してしまう。
【０００７】
さらに、このカルシウム剤のカルシウムは体内に入る前にすでにイオン化されているのでプラスの電荷を持ち、電気的にかなり活性化した状態で体内に入るために、既にストレス等でマイナスに傾いている血管、神経細胞、じん帯に沈着し、血栓や動脈硬化、高血圧を生起し、さらに神経細胞に沈着することで神経傷害をも起こしてしまう。
他方、血液中のカルシウム濃度が高くなるほど腎臓は、血中のカルシウムを減らそうとして急激な排泄を始め、逆にカルシウム不足が起きてカルシウムダウン症状を引き起こす恐れを有している。
【先行技術文献】
【特許文献】
【０００８】
【特許文献１】特開平９−７７６７２号公報
【特許文献２】特開２０１０−０６３６２９号公報
【発明の概要】
【発明が解決しようとする課題】
【０００９】
このような状況に鑑み本発明は、酸化還元塩が有する電子による還元性を有効に利用した還元水素水、及び、その酸化還元塩と、体内でイオン化して吸収され易いカルシウムである風化貝化石を原料とするカルシウムを配合し、骨格形成や血管内壁へのカルシウム沈着の防止などの効果を有する健康補助食品を提供する。
【課題を解決するための手段】
【００１０】
本発明の第１の発明は、酸化還元電位が−２００〜−５００ｍＶを示す海水生成塩、酸化還元電位が−２００〜−５００ｍＶを示すヒマラヤ岩塩の少なくとも一つの酸化還元塩と風化貝化石の混合物が水と接触、酸化還元反応して生成する水素が、前記水に溶存して形成された還元水素水であって、その風化貝化石が、貝類化石に含まれるＣａ成分のイオン化しない温度で貝類化石を粉末加工して形成した風化カルシウムであることを特徴とする酸化還元塩と風化貝化石の混合物を含む還元水素水。
【００１１】
本発明の第２の発明は酸化還元電位が−２００〜−５００ｍＶを示す海水生成塩、酸化還元電位が−２００〜−５００ｍＶを示すヒマラヤ岩塩の少なくとも一つの酸化還元塩と、風化貝化石を配合していることを特徴とする健康補助食品であって、その風化貝化石が、貝類化石に含まれるＣａ成分がイオン化しない温度で、貝類化石を粉末加工して形成した風化カルシウムであることを特徴とする健康補助食品である。
【００１２】
本発明の第３の発明は、第１の発明における酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする還元水素水である。
【００１３】
本発明の第４の発明は、第２の発明における酸化還元塩が、少なくともカルシウム（Ｃａ）、ナトリウム（Ｎａ）、マグネシウム（Ｍｇ）、カリウム（Ｋ）、リン（Ｐ）、鉄（Ｆｅ）、銅（Ｃｕ）、亜鉛（Ｚｎ）、マンガン（Ｍｎ）、フッ素（Ｆ）、ケイ素（Ｓｉ）、セレン（Ｓｅ）、コバルト（Ｃｏ）、ニッケル（Ｎｉ）、バリウム（Ｂａ）、硫黄（Ｓ）、及び塩素（Ｃｌ）を含むことを特徴とする健康補助食品である。
【発明の効果】
【００１４】
本発明に係る酸化還元塩を用いて生成した還元水素水は、溶存水素量の経時変化が小さく、従来の電解水素水に比して長時間にわたり水素を溶存させ、水素による還元作用を維持することが可能であった。さらに、イオン化していないカルシウム（Ｃａ）、例えば風化貝化石を含む還元水素水は、さらに長時間にわたり水素を溶存させ、その効果を持続していた。
【００１５】
酸化還元塩とイオン化していないカルシウム（Ｃａ成分：例えば、風化貝化石）を配合した本発明に係る健康補助食品は、市販のカルシウム剤と比較して、摂取開始時から１２時間後も血中カルシウム値の変動が抑制された安定的な挙動を示し、体内のカルシウムバランスを崩すことなく、容易にカルシウム（Ｃａ）摂取を可能とした。
【発明を実施するための形態】
【００１６】
［酸化還元塩］
本発明で用いる酸化還元塩は、海水から作られた自然塩を８００℃以上の高温による長時間加熱して形成した海水酸化還元塩、又は堆積していた岩塩がヒマラヤ山脈が隆起した際、マグマ溶岩の高温、高熱で焼かれることにより、塩に含まれている有機化合物や微生物また有害物質は消去され無機化し、更にニガリ成分の「塩化マグネシウム」、「硫酸マグネシウム」は焼却され、酸素や窒素は気化し、焼かれたことで電子を持った酸化還元塩を生成して、その酸化還元塩が有する電子のやり取りによって酸化を防止し還元する働きを有するものである。
【００１７】
本発明で用いる酸化還元塩の具体例は、天然産の紅塩（ヒマラヤ産天然岩塩、チベット産天然岩塩）である。
紅塩は、ヒマラヤ山脈が海底から隆起するとき、高温のマグマで焼けながら数億年かけて生成されたものであるとされている。
【００１８】
即ち、紅塩は、マグマの高温（１１００℃〜１２００℃程度）に長時間曝されることで、天然岩塩中に含まれていた有機化合物、酸素や窒素などの非金属化合物の多くが気化し、無機質の化合物の塩になったものといわれている。また、塩の中に含まれている微量元素、即ち、カルシウム、マグネシウム、ナトリウム、カリウム、鉄、銅、亜鉛、リン、マンガン、硫黄、フッ素、ケイ素、塩素、ストロンチウム、バリウム、コバルトなどミネラル成分は、長い年月、高温・高圧力化に曝されることで、還元作用をもたらす電子を保有したといわれている。
【００１９】
また、本発明で用いる海水生成塩は、上記ミネラル成分を含む海水から製塩した塩を数回（例えば５回以上）釜の中で１２００〜１３００℃の高温で焼く「高温熱焼法」により製造したものである。
【００２０】
上記酸化還元塩である紅塩（ヒマラヤ岩塩）は、酸化還元電位測定器（ＯＲＰメーター）で測定すると、マイナス値を示し、具体的に−２００〜−５００ｍＶの値を示し、強い還元力を保持しているものであることがわかる。
海水生成塩では、−１５０〜−５００ｍＶの値を示している。
【００２１】
ところで、「酸化」とは人の健康状態から言えば、「老化する」、「病気がち」、「疲れる」、「シミ、シワが増えること」である。また「還元」とは人の健康状態から言えば、「元気である」、「健康で若返ること」、「美しさがパワーアップすること」で、つまりこの「還元」の働きを有するのが還元力を持った酸化還元塩である。
さらに、化学的に捉えると、「酸化」とは、ある物質が酸素と化合する反応であり、水素又は電子を奪われる反応でもある。一方、「還元」とは、その逆で酸素が切り離される反応であり、水素又は電子を得る反応である。この「酸化」と「還元」の反応はわずか一個の電子のやり取りをする化学反応であり、この「酸化」と「還元」は同時に起きる反応でもある。
【００２２】
即ち、「還元力」とは電子の働きにより酸化物を還元するもので、その時酸素を切り離し、電子により水素を与える力が働くもので、以下に、その状態を本発明で用いる還元力を有する酸化還元塩で示す。
水道水には滅菌の為に使用した塩素ガスが水に溶け、塩酸（ＨＣｌ）と次亜塩素酸（ＨＣｌＯ）という酸化力の強い塩素化合物に変える。この強い酸化力が雑菌を酸化させて殺菌している。
そこで、この塩素化合物を無害化するには、塩素化合物を切り離し、分解することで、それには本発明の酸化還元塩が有する電子により還元すると、水と塩素イオンに分解され、無害となる。
【００２３】
その還元力を知るために、３つのビーカー、Ａ、Ｂ、Ｃを準備し、そのビーカーに塩素で滅菌した水道水を約８分目まで入れ、試薬液（０−トリジン溶液）を少量入れると黄色に変色する。これは水道水に塩素化合物が入っていることを示すものである。
次にビーカーＡに、本発明で使用する酸化還元塩を約１ｇ〜２ｇ投入すると黄色に変色している色が一瞬にして透明になる。
これが、有害な塩素化合物を無害に還元（分解）する化学反応である。
【００２４】
そこで、このビーカーの水（還元水）の酸化還元電位をＯＲＰ測定器で測定すると、−３５０ｍＶ以下の値を示し、還元していることがわかる。
【００２５】
次にビーカーＢに、一般に使用されている精製塩を５ｇ入れても黄色のままで同じくＯＲＰ測定器による測定値は、＋６５０ｍＶ以上の値を示す。これは、還元が行われていないことを示している。
【００２６】
そこで、さらにビーカーＣにビーカーＢと同様に市販の精製塩を５ｇ入れ、撹拌するが色はビーカーＢと同様にそのまま変わらない。その時の酸化還元電位は＋６５０ｍＶ以上の値を示していた。
次に、そのビーカーＣに酸化還元塩を１ｇ〜２ｇ入れ、撹拌すると一瞬にして透明になる。これは塩素化合物を消去した実証、その時の酸化還元電位は、−３５０ｍＶ以下となり、還元が行われていることを示している。
【００２７】
このビーカーＣの中での反応の違いは、使用した塩の成分及びその成分の状態の違いによるものと考えられる。即ち、本発明で使用する酸化還元塩では、長い時間、高温に曝されたことにより、酸化還元塩に含まれているミネラル成分が電子を保有し、その電子の働きによるものである。
【００２８】
この電子を出す物質とは酸化還元塩に含まれているミネラル成分である。
つまり金属元素「鉄、銅、亜鉛、カリウム、カルシウム、ナトリウム、マグネシウム、アルミニウム、マンガン、フッ素、ケイ素、ストロンチウム、ルビジウム等」が電子を出している。
【００２９】
［還元水素水］
ところで、元素を構成するのは原子である。
その原子は３つの要素で構成され、中心に陽子と中性子で構成される原子核があり、この原子核の周りを電子が回り電子殻を構成している。
その陽子は、＋の電荷を帯び、電子は−の電荷を帯び、中性子は非電荷であり、その原子の中で水素原子は、陽子１個の原子核と電子１個で構成され、電子を放して＋１価にもなり、電子を捕えて−１価にもなる両方の振る舞いをもつ特性がある。またイオン化することもでき、電子を簡単にやり取りできる特性を持っている。
即ち、水素は電気化学的特性である電子を供給する還元力を持っている。そこで、本発明で示した酸化還元塩が水と反応して水素を発生し、水素イオン化して水に溶けて還元水素水が生成される。
【００３０】
即ち、本発明では、上記特性を持つ水素が溶存した水素水（以後、還元水素水と称す）を、上記酸化還元塩を用いて生成するものである。
一般に供されている水道水は、酸化力があるので酸化還元電位はプラスになる。水素は還元力があるのでマイナスになる。電子のやり取りで電子を失うと酸化され、電子をもらうと還元される。
酸素は電子を奪うもので酸化を行い、水素は電子を与えるので還元を行うものである。したがって、強い還元力を持った上記酸化還元塩が、その還元力により水と反応し、電子のやり取りにより水素を発生することを見出し、その発生した水素がイオン化して水に溶けて還元水素水を作り出すものである。
【００３１】
この酸化還元塩を水に投入することで発生する水素が、水に溶存した酸化還元水素水においては、含まれる水素は電子を放して＋１価にもなり、電子を捕えて−１価にもなる性質を持ち、イオン化へも働くこともでき、また電気陰性度も示す。
つまり、電子を簡単にやり取りできる能力をもっている還元水素水である点、電子を供給する還元水素水である点、そして還元水素水が抗酸化物質を持っている点から、癌をはじめとして細胞の変異、病気老化の原因の９０％に係わる活性酸素、その活性酸素を生み出す元凶である酸素が全身の細胞に運ばれる過程で変化する物質で、且つ酸化力の強い悪玉活性酸素ヒドロキシルラジカル、これが細胞や遺伝子ＤＮＡにダメージを与え癌や病気を引き起こす原因となる。
即ち、還元水素水はこの悪玉活性酸素を消去する効果、所謂抗酸化性を有する抗酸化物質である。
【００３２】
［易吸収Ｃａ健康補助食品］
Ｃａ吸収のデメリットを排除してＣａを摂取するには、イオン化していない状態で体内に摂取し、体内で容易にイオン化するような状態でＣａを摂取するのが望ましいとの知見を得て、本発明では風化貝化石から作られるカルシウム（Ｃａ）と、電子を持ち水素を発生させる酸化還元塩とを混合して用いることで、上記知見を具現化したものである。
【００３３】
先ず、Ｃａ源となる風化貝化石は、数千年前（例えば２０００万年前）のホタテ貝、ニシキ貝などのカキ殻が化石化したもので、その使用に際しては、この風化貝化石をイオン化させない温度（２８０℃以下）で滅菌処理、粉末加工したものである。
そのＣａは、水溶性で、体内においてイオン化するＣａである。
即ち、この風化貝化石をＣａ源とするＣａは、イオン化されていない状態で体内に摂取され、腸において吸収、血液に運びこまれた時、イオン化していないので血管やじん帯に沈着する事がなく、骨の隅々まで運ばれることになり、その場所で、酸化還元塩の電子を受け取ることでイオン化し、堆積しているものである。
【実施例】
【００３４】
以下、実施例を用いて本発明を詳述する。
【００３５】
（参考例１）
水素を測定するポータブル溶存水素計を用い、ビーカーＡ１、Ａ２に水道水を適量入れて、その水道水の溶存水素量を測定した。両者ともに、ゼロ（０）を示した。
次に、ビーカーＡ１に酸化還元塩として、塊状のヒマラヤ紅塩を約５〜７ｇに投入し、溶存水素量を測定した。投入直後に、６００ｐｐｂ（０．６ｐｐｍ）の値を示し、水素分子Ｈ２が水の中に溶存した。
さらに、溶存水素量の経時変化を測定したところ、溶存水素量は若干低下するが２４時間後で、５１８ｐｐｂの値を得た。
【００３６】
［実施例２］
水素を測定するポータブル溶存水素計を用い、ビーカーＢ１、Ｂ２に水道水を適量入れて、その水道水の溶存水素量を測定した。両者ともに、ゼロ（０）を示した。
次に、ビーカーＢ１に酸化還元塩として、塊状のヒマラヤ紅塩を約４ｇと、風化貝化石の粉末７ｇを投入し、溶存水素量を測定した。投入直後に、７１０ｐｐｂ（０．７１ｐｐｍ）の値を示し、水素分子Ｈ２が水の中に溶存した。
さらに、溶存水素量の経時変化を測定したところ、溶存水素量は若干低下するが２４時間後で、６３８ｐｐｂの値を得た。
【００３７】
（参考例３）
ビーカーＣ１、Ｃ２を用意して、投入する酸化還元塩を８００℃の高温に４８時間加熱して生成した海水生成塩を用いた以外は、参考例１と同様にして、溶存水素量を測定した。投入直後に、５６５ｐｐｂ（０．５６５ｐｐｍ）の値を示し、水素分子Ｈ２が水の中に溶存した。
さらに、溶存水素量の経時変化を測定したところ、溶存水素量は若干低下するが２４時間後で、４８８ｐｐｂの値を得た。
【００３８】
（比較例１）
次に、ビーカーＤに市販の精製塩１０ｇを投入し、参考例１と同様に溶存水素量を測定したが、溶存水素量は投入直後から検出限度以下で変化しなかった。
【００３９】
（従来例）
市販の電解水素水整水器を用いて電解水素水を生成して、その溶存水素量を測定した。生成当初は７１０ｐｐｂの値を示し、生成後２４時間後では検出限度以下であった。
【００４０】
本発明に係る酸化還元塩を含む還元水素水（参考例１、実施例２）、及び酸化還元塩と風化貝化石を含む還元水素水（参考例３）は、従来の電解水素水に比べて長時間にわたり水素を溶存させていることが判る。
【００４１】
［実施例４］
酸化還元塩（塊状のヒマラヤ紅塩）を４ｇと風化貝化石粉末７ｇを、食後に服用して成人の血中カルシウム値の経時変化を測定した。血中カルシウム値の測定は、富士フイルムメディカル株式会社製ドライケムで行った。
なお、以下の実施例は成人を対象に行った。
その結果を、表１に示す。
【００４２】
［実施例５］
酸化還元塩（塊状のヒマラヤ紅塩）を４ｇと風化貝化石粉末７ｇを、食事せずに服用して血中カルシウム値の経時変化を実施例４と同様の測定法で測定した。
その結果を表１に示す。
【００４３】
（比較例２）
市販のカルシウム剤を食後に２０錠服用して血中カルシウム値を経時変化を測定した。
その結果を表１に合わせて示す。
【００４４】
（比較例３）
食事せずに市販のカルシウム剤を２０錠服用して血中カルシウム値の経時変化を測定した。
その結果を表１に合わせて示す。
【００４５】
【表１】
2015093211.tif 000003
【００４６】
比較例２、３の市販のカルシウム剤を服用した場合には、１時間目に急上昇するが、その後は急低下して、しかも１２時間後には服用前の数値よりも下回っている事が伺える。これは腎臓が急激に上昇したカルシウムを減らそうとして排泄を始めた現れと考えられる。
【００４７】
この表１からも明らかなように本願実施例４、５においては市販のカルシウム剤（比較例２、３）と比較して、摂取開始時から１２時間後も血中カルシウム値の変動を抑制した安定的な挙動を示していることがわかる。